(57)【要約】【課題】防音、防振効果を有するフローリング床を、壁や天井の施工終了後に施工可能とし、しかも、施工後にフローリング材を部分的に交換可能とするフローリング材及び同フローリング材を用いた床の施工方法を提供する。【解決手段】一方向に伸延した略短冊形状のフローリング材を敷設してフローリング床を形成する床の施工方法において、フローリング材を敷設する施工面には装着片を突設するとともに、フローリング材の下面には同装着片と嵌合する嵌合溝を刻設し、装着片に同嵌合溝を嵌合させることによりフローリング材を着脱自在に敷設することにした。しかも、フローリング材は弾性材料で形成した基体上面に、薄板体からなる表層板を重合して形成することにした。【選択図】図１
2005048506.tif 000002
【特許請求の範囲】
【請求項１】
弾性材料で形成した基体上面に、薄板体からなる表層板を重合して形成したフローリング材。
【請求項２】
前記基体は、一方向に伸延させた略短冊形状の板状体とするとともに、同基体下面には伸延方向と平行な側縁に沿って嵌合溝を刻設し、施工面に突設した装着片に同嵌合溝を嵌合させることにより着脱自在に敷設可能としたことを特徴とする請求項１記載のフローリング材。
【請求項３】
一方向に伸延した略短冊形状のフローリング材を敷設してフローリング床を形成する床の施工方法において、
フローリング材を敷設する施工面には装着片を突設するとともに、フローリング材の下面には同装着片と嵌合する嵌合溝を刻設し、装着片に同嵌合溝を嵌合させることによりフローリング材を着脱自在に敷設することを特徴とする床の施工方法。
【請求項４】
前記装着片は、一方向に伸延させた板状の支持板に、伸延方向と平行な側縁に沿って第１の装着片と第２の装着片とを対向させて突設した装着用フレームを施工面に敷設することにより突設するとともに、前記嵌合溝はフローリング材下面の伸延方向と平行な側縁に沿って刻設し、第１の装着片には第１のフローリング材の嵌合溝を装着するとともに、第２の装着片には第１のフローリング材に隣設させる第２のフローリング材の嵌合溝を装着することを特徴とする請求項３記載の床の施工方法。
【請求項５】
前記第１の装着片及び前記第２の装着片には、対向した第１の装着片と第２の装着片との対向面にそれぞれ膨出部を設けて、第１の装着片及び第２の装着片を先端から基端に向けて漸次厚肉状としたことを特徴とする請求項４記載の床の施工方法。
【請求項６】
前記フローリング材は、弾性材料で形成した基体上面に、薄板体からなる表層板を重合して形成していることを特徴とする請求項３〜５のいずれか１項に記載の床の施工方法。
【発明の詳細な説明】
【技術分野】
【０００１】
本発明は、フローリング材及び同フローリング材を用いた床の施工方法に関するものである。
【背景技術】
【０００２】
従来、住宅用建築物の室内等に木質の床面を施工するために用いられるフローリング材として、一方向に伸延させた略短冊状の板体が用いられている。かかるフローリング材には、伸延方向と平行な一方の側端面に、フローリング材の伸延方向に沿って伸延させた嵌合用凹条溝を設けるとともに、他方の側端面には嵌合用凸条片を突設し、隣設した第１のフローリング材の嵌合用凹条溝と、第２のフローリング材の嵌合用凸条片とを嵌合可能としている。さらに、嵌合用凹条溝の上面側には庇状の傾斜段部を設けるとともに、嵌合用凸条片の上面側には、隣設させたフローリング材の傾斜段部と当接する傾斜断面を設けている。
【０００３】
これらのフローリング材を用いてフローリング床を形成するにあたっては、まず、第１のフローリング材を下地材で形成した施工面の所要の位置に載置して、嵌合用凸条片の上面側から釘を斜めに打ち込んで第１のフローリング材を下地材に固定する。
【０００４】
次に、この第１のフローリング材の嵌合用凸条片に、第２のフローリング材の嵌合用凹条溝を嵌合させながら第２のフローリング材を第１のフローリング材に隣設する。ここで、第１のフローリング材を固定している釘の頭部は、第２のフローリング材によって隠蔽されることにより、フローリング床表面を美しく仕上げることができる。
【０００５】
次に、第２のフローリング材の嵌合用凸条片の上面側から釘を斜めに打ち込んで下地材に固定する。この作業を繰り返すことによってフローリング床を形成している。
【０００６】
このように、フローリング材を釘で下地材に固定するとともに、隣設させるフローリング材の嵌合用凹条溝と嵌合用凸条片とを嵌合させることによって、固定用の釘を露出させることなくフローリング材を敷設してフローリング床を形成していた（例えば、特許文献１参照。）。
【０００７】
さらに、このようにしてフローリング床の施工を終了させた後に、次なる内装工事である壁や天井の施工を行うべく、フローリング床には保護シートを敷設してフローリング床表面を保護し、所要の作業を行っていた。
【特許文献１】特開２００１−３１１２９８号公報
【発明の開示】
【発明が解決しようとする課題】
【０００８】
しかし、従来のフローリング材は素材が木材であったので、防音・防振効果が不充分であるという不具合があった。
【０００９】
しかも、フローリング床を形成するにあたっては、それぞれのフローリング材を釘で下地材に固定するとともに、それぞれ隣設させるフローリング材同士の嵌合用凹条溝と嵌合用凸条片とを嵌合させているために、フローリング床の施工は内装工事において最初に行う必要があり、フローリング床の施工後における内装工事中に誤ってフローリング床を傷つけるおそれがあった。
【００１０】
さらに、フローリング材に傷等の損傷が生じて取り替えが必要となった場合には、その構造上、部分的な交換ができないために全面的な張替えしないといけないという不具合があった。
【課題を解決するための手段】
【００１１】
そこで、本発明のフローリング材では、弾性材料で形成した基体上面に、薄板体からなる表層板を重合して形成することとした。さらに、基体は、一方向に伸延させた略短冊形状の板状体とするとともに、同基体下面には伸延方向と平行な側縁に沿って嵌合溝を刻設し、施工面に突設した装着片に同嵌合溝を嵌合させることにより着脱自在に敷設可能とした。
【００１２】
また、本発明のフローリング材を用いた床の施工方法では、一方向に伸延した略短冊形状のフローリング材を敷設してフローリング床を形成する床の施工方法において、フローリング材を敷設する施工面には装着片を突設するとともに、フローリング材の下面には同装着片と嵌合する嵌合溝を刻設し、装着片に同嵌合溝を嵌合させることによりフローリング材を着脱自在に敷設することとした。
【００１３】
さらに、以下の点にも特徴を有するものである。すなわち、
（１）装着片は、一方向に伸延させた板状の支持板に、伸延方向と平行な側縁に沿って第１の装着片と第２の装着片とを対向させて突設した装着用フレームを施工面に敷設することにより突設するとともに、前記嵌合溝はフローリング材下面の伸延方向と平行な側縁に沿って刻設し、第１の装着片には第１のフローリング材の嵌合溝を装着するとともに、第２の装着片には第１のフローリング材に隣設させる第２のフローリング材の嵌合溝を装着したこと。
（２）第１の装着片及び第２の装着片には、対向した第１の装着片と第２の装着片との対向面にそれぞれ膨出部を設けて、第１の装着片及び第２の装着片を先端から基端に向けて漸次厚肉状としたこと。
（３）フローリング材は、弾性材料で形成した基体上面に、薄板体からなる表層板を重合して形成したこと。
【発明の効果】
【００１４】
請求項１記載の発明によれば、フローリング材を弾性材料で形成した基体上面に、薄板体からなる表層板を重合して形成したので、基体の弾性材料が騒音や振動を吸収して防音・防振効果を奏する。さらに、薄板体を木製とした場合には、見た目には従来通りの木製のフローリング床面とすることができる。
【００１５】
請求項２記載の発明によれば、基体は、一方向に伸延させた略短冊形状の板状体とするとともに、基体下面には伸延方向と平行な側縁に沿って嵌合溝を刻設し、施工面に突設した装着片に同嵌合溝を嵌合させることにより着脱自在に敷設可能としたので、フローリング材を床施工面に敷設する際に、隣設するフローリング材とは独立させて１つのフローリング材の着脱を行うことができ、フローリング材の敷設作業を容易とすることができる。特に、フローリング材の敷設において、敷設順位に上下関係がないので、例えば両側の壁際から同時に中央に向けてフローリング材を順次敷設することにより、施工に要する時間の短縮化をはかることができる。しかも、フローリング材は、施工面に突設した装着片にフローリング材に設けた嵌合溝を嵌合させることにより容易に装着できるので、内装工事の最終段階でフローリング床の施工を行うことも可能であり、内装工事の最終段階でフローリング床の施工を行うことによって、形成したフローリング床に傷や汚れなどが生じることを防止できる。
【００１６】
請求項３記載の発明によれば、一方向に伸延した略短冊形状のフローリング材を敷設してフローリング床を形成する床の施工方法において、フローリング材を敷設する施工面には装着片を突設するとともに、フローリング材の下面には同装着片と嵌合する嵌合溝を刻設し、装着片に同嵌合溝を嵌合させることによりフローリング材を着脱自在に敷設したので、請求項２記載の発明と同様に、フローリング材を床施工面に敷設する際に、隣設するフローリング材とは独立させて１つのフローリング材の着脱を行うことができ、フローリング材の敷設作業を容易とすることができる。特に、フローリング材の敷設において、敷設順位に上下関係がないので、例えば両側の壁際から同時に中央に向けてフローリング材を順次敷設することにより、施工に要する時間の短縮化をはかることができる。しかも、フローリング材は、施工面に突設した装着片にフローリング材に設けた嵌合溝を嵌合させることにより容易に装着できるので、内装工事の最終段階でフローリング床の施工を行うことも可能であり、内装工事の最終段階でフローリング床の施工を行うことによって、形成したフローリング床に傷や汚れなどが生じることを防止できる。
【００１７】
請求項４記載の発明によれば、装着片は、一方向に伸延させた板状の支持板に、伸延方向と平行な側縁に沿って第１の装着片と第２の装着片とを対向させて突設した装着用フレームを施工面に敷設することにより突設するとともに、嵌合溝はフローリング材下面の伸延方向と平行な側縁に沿って刻設し、第１の装着片には第１のフローリング材の嵌合溝を装着するとともに、第２の装着片には第１のフローリング材に隣設させる第２のフローリング材の嵌合溝を装着するようにしたので、釘等を使用することなく隣設させる第１のフローリング材と第２のフローリング材とを容易に連設固定し床施工面にフローリング材を敷設することができるので、作業を簡易化して施工時間を短縮することができる。しかも、各フローリング材は、嵌合溝と第１の装着片及び第２の装着片との嵌合による連結によって装着しているので、装着用フレームへのフローリング材の装着後に、容易にフローリング材を装着用フレームから離脱させることができ、例えば一部のフローリング材に損傷が生じた場合に損傷したフローリング材のみの交換を行うことができ、低コストでのフローリング床の修繕を行うことができる。
【００１８】
請求項５記載の発明によれば、第１の装着片及び第２の装着片には、対向した第１の装着片と第２の装着片との対向面にそれぞれ膨出部を設けて、第１の装着片及び第２の装着片を先端から基端に向けて漸次厚肉状としたので、第１の装着片及び第２の装着片に、フローリング材に設けた嵌合溝を装着しやすくすることができるとともに、装着後もそれぞれの膨出部が互いに対向面側へ圧力を及ぼし合って第１の装着片及び第２の装着片間に嵌合して隣設させたフローリング材同士を強固に挟圧することによって、これらのフローリング材同士を確実に連設固定することができる。
【００１９】
請求項６記載の発明によれば、フローリング材は、弾性材料で形成した基体上面に、薄板体からなる表層板を重合して形成したので、請求項１記載の発明と同様に、基体の弾性材料が騒音や振動を吸収して防音・防振効果を奏する。しかも、薄板体を木製とした場合には、見た目には従来通りの木製のフローリング床面とすることができる。
【発明を実施するための最良の形態】
【００２０】
本発明のフローリング材は、基体を弾性材料で形成するとともに、この基体の上面には薄板体からなる表層板を重合して形成しているものである。
【００２１】
したがって、フローリング材自体に遮音性及び制振性を付与することができる。さらに、薄板体を木製とした場合には、フローリング材の表面は従来通りの木製として住む人に木のぬくもりと自然の落ち着き感とを与えることができ、住む人に快適な住空間を提供することができる。
【００２２】
基体は一方向に伸延させた略短冊形状の板状体とするとともに、基体下面には伸延方向と平行な側縁に沿って第１嵌合溝と第２嵌合溝をそれぞれ刻設している。
【００２３】
一方、床施工面には、一方向に伸延させた板状の支持板に、伸延方向と平行な側縁に沿って第１の装着片と第２の装着片とを対向させて突設した装着用フレームを敷設することにより、床施工面に第１の装着片と第２の装着片とを突設している。
【００２４】
そして、床施工面に突設した装着用フレームの第１の装着片または第２の装着片に、前記基体に設けた第１嵌合溝または第２嵌合溝を嵌合させることによって、装着用フレームにフローリング材を着脱自在に敷設可能としている。
【００２５】
特に、床施工面に突設した第１の装着片及び第２の装着片と、フローリング材の基体下面に設けた第１嵌合溝または第２嵌合溝とを嵌合させてフローリング材を施工面に装着することにより、１枚のフローリング材を隣設するフローリング材の影響を受けることなく単独で着脱することができるので、フローリング床の施工を内装工事の最後に行うことができる。したがって、フローリング床の施工を内装工事の最後に行うことによって、フローリング床に損傷が生じることを防止できる。しかも、フローリング材に傷等の損傷が生じた場合には、損傷したフローリング材のみを新規のフローリング材に交換することができ、低コストでの修繕を可能とすることができる。
【００２６】
さらに、装着用フレームの第１の装着片と第２の装着片には、対向した第１の装着片と第２の装着片との対向面にそれぞれ膨出部を設けており、第１の装着片及び第２の装着片を先端から基端に向けて漸次厚肉状としている。
【００２７】
したがって、第１の装着片と第２の装着片との間に挿入した第１のフローリング材の側縁部分と、同第１のフローリング材に隣設した第２のフローリング材の側縁部分とを、第１の装着片と第２の装着片とによって強固に挟持することができ、装着用フレームによるフローリング材の確実な固定を行うことができる。
【００２８】
以下において、図面に基づいて本発明に係るフローリング材と同フローリング材を使用した床の施工方法の実施形態を説明する。図１に本実施形態のフローリング材Ａを示す。
【００２９】
本実施形態のフローリング材Ａは、弾性材料の一つであるゴム製の基体１の上面に、木製の薄板体からなる表層板２を重合して構成している。基体１は、酸化鉄を含有するゴム製の弾性体であって、適度な剛性を有するとともに、遮音性を有している。なお、基体１はゴム製に限定するものではなく、発泡材等の遮音性を有する弾性体で構成していていれば何であってもよい。また、本実施形態では、基体１には酸化鉄を含有したゴム材を用いることによって所要の遮音性を付与しているが、酸化鉄に限定するものではなく、バリウム等の比重の大きい金属を含有させることにより遮音性を付与すべく構成してもよい。
【００３０】
基体１は、一方向に伸延させた略短冊形状の板状体としており、本実施形態では、基体１上面の伸延方向と平行な両側縁には、面取りによる傾斜面３を形成している。
【００３１】
また、基体１の下面には、伸延方向と平行な側縁から所定寸法だけ内側の位置に、図１に示すように、それぞれ所定幅の凹状溝からなる第１嵌合溝４と第２嵌合溝５を伸延方向に沿って刻設している。第１嵌合溝４と基体１の側縁との間の第１基板側端縁６、及び第２嵌合溝５と基体１の側縁との間の第２基板側端縁７は、後述する装着用フレーム８と重合することとなるので、下面を後退させて基体１中央部分の肉厚よりも装着用フレーム８の厚み寸法分だけ薄肉としている。
【００３２】
第１嵌合溝４及び第２嵌合溝５の溝幅寸法は、後述する装着用フレーム８に設けた第１装着片９及び第２装着片10の厚み寸法と略一致させ、第１装着片９及び第２装着片10と嵌合可能としている。
【００３３】
表層板２は、基体１の上面を被覆可能に形成した木製の薄板体であって、接着剤等を用いて基体１の上面に貼着している。本実施形態では、表層板２は木製としているが、木製に限定するものではなく、プラスチック製等であってもよい。
【００３４】
上記したフローリング材Ａは、図２に示す装着用フレーム８を介して床施工面に装着すべく構成している。
【００３５】
装着用フレーム８は、一方向に伸延させた板状の支持板11に、伸延方向と平行な側縁に沿って所要の肉厚とした第１装着片９と第２装着片10とを突設して構成している。装着用フレーム８は金属製であってもよいし、プラスチック製であってもよい。
【００３６】
第１装着片９及び第２装着片10は、フローリング材Ａの第１嵌合溝４及び第２嵌合溝５と嵌合可能とした所要の肉厚を有しており、先端を半円弧状としている。
【００３７】
さらに、第１装着片９及び第２装着片10には、対向した第１装着片９と第２装着片10との対向面にそれぞれ膨出部12を設けている。これらの膨出部12は第１装着片９及び第２装着片10の先端から基端に向けて漸次拡幅して形成しており、第１装着片９及び第２装着片10を先端から基端に向けて漸次厚肉状として、第１装着片９と第２装着片10との対向面にそれぞれ傾斜面13を設けている。この膨出部12の下端は膨出巾を有する水平面としている。
【００３８】
そして、フローリング材Ａの基体１に設けた第１嵌合溝４と第２嵌合溝５を第１装着片９または第２装着片10に嵌合させることによって、後述するようにフローリング材Ａを装着用フレーム８に着脱自在に装着可能としている。
【００３９】
次に、上記のフローリング材Ａを用いてフローリング床を形成する床の施工方法について説明する。
【００４０】
図３に示すように、本実施形態のフローリング材Ａを用いてフローリング床を形成する場合には、まず、下地材20によって床施工面を形成した後にフローリング材Ａを配設せずに部屋の内装工事を行い、最後にフローリング床を施工する。ここで、内壁21の下端部には巾木22が取り付けられており、この巾木22の下端と下地材20からなる床施工面との間には、フローリング材Ａを挿入可能な隙間23を設けている。なお、場合によっては、かかる隙間23を設けることなく、床施工面に内壁21の下端を当接させていてもよい。あるいは、壁際のフローリング材Ａには傷や汚れが生じにくいので、フローリング材Ａを床施工面の外周縁に沿ってあらかじめ配設してもよい。
【００４１】
次いで、図４に示すように、床施工面に装着用フレーム８を所要方向に伸延させながら設置する。装着用フレーム８は、釘等の固定具によって下地材に固定してもよいし、接着剤で貼着してもよい。装着用フレーム８は、所定間隔で互いに平行に複数設置する。装着用フレーム８の配設間隔は、当然ながらフローリング材Ａの幅寸法間隔である。
【００４２】
次いで、図５に示すように、所定間隔を設けて隣設した第１装着用フレーム81と第２装着用フレーム82を用いて、第１装着用フレーム81の第１装着片９に第１フローリング材Ａ1の第１嵌合溝４を嵌合させるとともに、第２装着用フレーム82の第２装着片10に第１フローリング材Ａ1の第２嵌合溝５を嵌合させることにより、第１フローリング材Ａ1を第１装着用フレーム81及び第２装着用フレーム82に装着している。
【００４３】
さらに、第２装着用フレーム82の第１装着片９に第２フローリング材Ａ2の第１嵌合溝４を嵌合させるとともに、第３装着用フレーム（図示せず）の第２装着片に第２フローリング材Ａ2の第２嵌合溝を嵌合させて、第２フローリング材Ａ2を第２装着用フレーム82及び第３装着用フレームに装着している。
【００４４】
これを繰り返すことにより、フローリング材Ａの敷設を行ってフローリング床を形成している。
【００４５】
なお、床施工面の端縁においては、内壁21の下端と下地材20からなる隙間23にフローリング材Ａの一端を挿入しながら同フローリング材Ａを敷設している。必要に応じて、フローリング材Ａは所要形状に切断成形してもよい。ここで、フローリング材Ａの基体はゴム製であるので容易に切断することができる。
【００４６】
上記したように、フローリング材Ａは、床施工面に設けた装着用フレーム８を介して固定すべく構成していることによって、フローリング材Ａを装着用フレーム８の上方からの嵌め込みによって敷設することができるので、隣設した他のフローリング材Ａとは無関係に単独で１枚のフローリング材Ａを着脱することができる。
【００４７】
したがって、フローリング床の形成を内装工事の最後に行うことができ、形成したフローリング床面に損傷を与えることを防止して、フローリング床を美しく仕上げることができる。
【００４８】
しかも、フローリング床施工後にフローリング材Ａを傷つけたり、汚したりした場合には、傷ついたり汚れたりしたフローリング材Ａだけを取り外し、そのフローリング材Ａの代わりに新たなフローリング材Ａを装着用フレーム８に装着することによってフローリング床の交換を部分的に行うことができる。
【００４９】
さらに、上記したように、フローリング材Ａを装着用フレーム８に装着した際に、装着用フレーム８の第１装着片９と第２装着片10は、一方のフローリング材Ａの第２基板側端縁７と他方のフローリング材Ａの第１基板側端縁６とを挟持しており、フローリング材Ａは両側縁をそれぞれ装着用フレーム８によって固定されることにより、確実に装着することができる。
【００５０】
特に、上記したように第１装着片９及び第２装着片10には、対向した第１装着片９と第２装着片10との対向面にそれぞれ膨出部12を設けており、かかる膨出部12によって第１装着片９と第２装着片10との間の第１基板側端縁６と第２基板側端縁７とを狭窄しているので、強固に挟持することができる。
【００５１】
しかも、膨出部12は、第１装着片９及び第２装着片10を先端から基端に向けて漸次厚肉状として形成しており、第１装着片９と第２装着片10との対向面にそれぞれ傾斜面13を設けているので、傾斜面13をガイド面として第１基板側端縁６及び第２基板側端縁７を第１装着片９と第２装着片10との間に挿入させやすくするとともに、第１装着片９と第２装着片10とによって強固に挟着することができるので、一度挿入した第１基板側端縁６及び第２基板側端縁７の抜けを防止することができる。
【００５２】
他の実施形態として、上記したフローリング材Ａの敷設方法のように、装着用フレーム８をあらかじめ所要位置に配設するのではなく、次にようにしてフローリング材Ａを敷設してもよい。すなわち、例えば第１フローリング材Ａ1の第１嵌合溝４に第１装着用フレーム81の第１装着片９を嵌合させることにより第１フローリング材Ａ1に第１装着用フレーム81を装着し、かかる第１フローリング材Ａ1を床施工面の所要の位置に載置して第１装着用フレーム81を床施工面に装着する。次いで、同様に第２装着用フレーム82を装着した第２フローリング材Ａ2を、第１装着用フレーム81の第２装着片10に嵌合させて装着することにより第２フローリング材Ａ2を敷設するとともに、第２装着用フレーム82を固定する。これの作業を繰り返してフローリング材Ａの敷設を行う。
【００５３】
このように、フローリング材Ａの一方側に装着用フレーム８を装着した状態でフローリング材Ａの敷設と装着用フレーム８の配設を同時に行うことにより、装着用フレーム８の配設作業を容易に行うことができ、フローリング床の施工時間を短縮することができる。
【図面の簡単な説明】
【００５４】
【図１】本発明にかかるフローリング材の一部切欠斜視図である。
【図２】装着用フレームの一部切欠斜視図である。
【図３】フローリング床を施工する施工面の説明図である。
【図４】施工面に装着用フレームを配設した状態の説明図である。
【図５】施工面に配設したフローリング材の断面図である。
【符号の説明】
【００５５】
Ａ  フローリング材
１  基体
２  表層板
４  第１嵌合溝
５  第２嵌合溝
８  装着用フレーム
９  第１装着片
１０  第２装着片
１２  膨出部
【図１】
2005048506.tif 000003
【図２】
2005048506.tif 000004
【図３】
2005048506.tif 000005
【図４】
2005048506.tif 000006
【図５】
2005048506.tif 000007